(57)【要約】      （修正有）【課題】螺鈿細工と同様の高級感を発揮させることが可能な螺鈿様装飾体を提供する。【解決手段】光沢面を表面にして図案模様に形成した螺鈿材料３を裏面に接着した透明なシート２の裏面に、前記シート２とほぼ同形に形成し、表面にはほぼ全面に色彩又は模様等を施し、裏面には接着剤６を塗布した下地材４を密着接合した。螺鈿部材はシートと下地材にサンドイッチ状に挟着されているので、螺鈿部材への空気接触を阻止でき、酸化による螺鈿部材の硬度、色調、輝き等の劣化が防止できる。【選択図】図１
0003150473.tif 000002
【実用新案登録請求の範囲】
【請求項１】
光沢面を表面にして図案模様に形成した螺鈿材料を裏面に接着した透明なシートの裏面に、前記シートとほぼ同形に形成し、表面にはほぼ全面に色彩又は模様等を施し、裏面には接着剤を塗布した下地材を密着接合したことを特徴とする螺鈿様装飾体。
【考案の詳細な説明】
【技術分野】
【０００１】
本考案は、伝統工芸である螺鈿細工飾りと同様に製作できる螺鈿様装飾体に関するものである。
【背景技術】
【０００２】
所定の形状に形成された面状の螺鈿部材の一面又は他面の少なくとも何れか一方に、該螺鈿部材の螺鈿模様を透視可能な螺鈿保護層が密着重合するものがある（特許文献１参照）。
【先行技術文献】
【特許文献】
【０００３】
【特許文献１】特開２００２−３２１４９９号公報
【考案の概要】
【考案が解決しようとする課題】
【０００４】
従来の技術では、螺鈿保護層で螺鈿部材の螺鈿模様を透視可能に直接密着重合する二層構造の構成であるために、外観上、螺鈿細工を施した工芸品としての色調、輝き等を有しないものである。また、高級感の点でも劣るという問題点がある。
【０００５】
また、螺鈿部材が空気接触する構造であり、酸化による螺鈿部材の硬度、色調、輝き等の劣化が発生するという問題点がある。
【０００６】
螺鈿様装飾体に外圧や衝撃等が加わった場合は、螺鈿部材に割れや欠損部分が発生し、螺鈿部材の一部が飛散するという問題点がある。
【０００７】
上記問題点に鑑み案出された本考案は、携帯電話等被接着体の任意面に簡単に取り付けることが可能で、かつ伝統的工芸品の螺鈿細工と同様の高級感を発揮させることが可能な螺鈿様装飾体の提供を目的としている。
【課題を解決するための手段】
【０００８】
上記課題を解決する本考案の主要な解決するための手段は、
光沢面を表面にして図案模様に形成した螺鈿材料を裏面に接着した透明なシートの裏面に、前記シートとほぼ同形に形成し、表面にはほぼ全面に色彩又は模様等を施し、裏面には接着剤を塗布した下地材を密着接合したことを特徴としている。
【考案の効果】
【０００９】
螺鈿部材の表面にはシートを密着し、かつ螺鈿部材の裏面には下地材を密着している構造のため、螺鈿部材で製作された模様、色調、輝き等を持ち、かつ高級感を有する螺鈿様装飾体に製作できる。また、螺鈿模様は下地材の色彩や模様が反映してより高級感を発揮させることができる。
【００１０】
螺鈿様装飾体を携帯電話、パソコン、文房具類、食器類、化粧道具、その他身の回り品、被服等の各種部材に取り付けることで、高級感のある物品にできる。その結果、所有者には愛着を起こさせる物品となり、人の興味を引く物に形成することができる。
【００１１】
螺鈿様装飾体を携帯電話、CDケース、DVDケース等被接着体の任意面に簡単に接着して、自分の所有物に他人の所有物と異なる螺鈿細工を施した特有の装飾にできる。
【００１２】
また、螺鈿部材はシートと下地材にサンドイッチ状に挟着されているので、螺鈿部材への空気接触を阻止でき、酸化による螺鈿部材の硬度、色調、輝き等の劣化が防止出来る。
【００１３】
螺鈿部材に外圧や衝撃等が生じた場合には表面に密着されたシートにより螺鈿部材を保護することが出来る。その結果、螺鈿様装飾体に外圧や衝撃等が加わって螺鈿部材に割れや欠損部分が発生しても、螺鈿部材の一部が飛散するのを防止出来る。
【００１４】
また、携帯電話等被接着体７に一旦螺鈿様装飾体を取り付けた場合でも、これを剥離して別の螺鈿様装飾体に容易に交換でき、かつ綺麗に交換できる。
【００１５】
螺鈿様装飾体に使用する螺鈿材料の貝殻は、中身を取った後は捨てられるものであるが、この貝殻をリサイクルして螺鈿材料に利用できる。また、螺鈿様装飾体の製造により螺鈿部材の需要を向上させることが出来る。
【００１６】
ペットの動物や植物の図案模様を施した螺鈿様装飾体の場合は、老若男女を問わず好まれる図案模様であるから好んで使用される。また、これら動物や植物の図案模様は、特に子供にも好まれ、利用範囲を広くできる利点がある。
【００１７】
家族の図案や、犬、猫等動物のペットの図案を施した螺鈿様装飾体を携帯電話等に取り付けた場合は、携帯電話等を手に取って見る又は眺めることにより、看る者の心を癒し、かつ体のリラックスを助長させることができる。
【図面の簡単な説明】
【００１８】
【図１】図１はＡ―Ａ一部断面図である。
【図２】図２は螺鈿様装飾体を接着した状態の携帯電話の正面図である。
【図３】図３は螺鈿様装飾体を取り付けた状態のＣＤケースの正面図である。
【図４】図４は螺鈿様装飾体を利用した看板の正面図である。
【考案を実施するための形態】
【００１９】
光沢面を表面にして図案模様に形成した螺鈿材料を裏面に接着した透明なシートの裏面に、前記シートとほぼ同形に形成し、表面にはほぼ全面に色彩又は模様等を施し、裏面には接着剤を塗布した下地材を密着接合したものである。
【実施例１】
【００２０】
本考案の実施例を図１〜４により説明する。
螺鈿様装飾体１は、概略、シート２と螺鈿材料３と下地材４の三層構造で構成されている。前記シート２は、透明体の硬質性又は硬質性の樹脂製シートである。また、このシート２は所定の色彩に着色したものでもよい。色彩を有するシート２を使用した場合は、螺鈿材料３の光沢、反射状態を複雑に反映させることが出来、外観上様々に変化する螺鈿様装飾体ができる。
【００２１】
前記シート２の裏面には、螺鈿材料３の光沢面を表面にして図案模様３１に製作された螺鈿材料３が接着されている。
【００２２】
前記螺鈿材料３は、ヤコウガイ、アワビ、オウムガイ、チョウガイ、蜆、メキシコアワビ等各種の貝の裏側をスライスして製作されている。
【００２３】
図案模様３１又は文字模様３２は、螺鈿材料３を板状に配置し、模様の型で型抜きするか、手作業でこれら模様３１、３２を製作するか、予め描いた模様に螺鈿材料３を貼付又は接着して製作したものでもよい。
【００２４】
また、下地材４は、紙、樹脂フイルム等が用いられる。紙の場合は薄い紙でもよい。該下地材４は前記シート２とほぼ同形に形成され、該下地材４の表面５のほぼ全面又は一部には色彩又は模様等を施され、裏面には接着剤６が塗布されている。
螺鈿工芸品としての重厚な雰囲気を発揮させるため、前記下地材４の表面５には黒、赤等各種の色彩を塗布するのがよい。また、色彩を色分けして塗布してもよい。この下地材４はシート２の裏面に、接着材２２で周端部を塗布して密着接合されている。
【００２５】
螺鈿様装飾体１は、携帯電話７１等被接着体７の任意面に下地材４の接着剤６を接着して密着接合されている。
【００２６】
図３のように、人物の顔や上半身等を図案にした螺鈿材料３で製作した螺鈿様装飾体１をCDケースやDVDケース等被接着体の大きさに形成して接着し、螺鈿細工様の高級感あるCDケースやDVDケースに製作されている。
【００２７】
螺鈿様装飾体１は、ノートパソコンの蓋部分、見回り品、食器類、筆箱等の文房具類、かばん類、財布や袋物、家具類、車の窓ガラス等に接着して螺鈿模様で高級感ある装飾にされている。
【００２８】
また、前記螺鈿様装飾体１は、図４のように、看板７３１枚１枚に螺鈿材料３で文字模様３２を製作し、螺鈿模様で高級感ある看板７３に製作されている。
【符号の説明】
【００２９】
１    螺鈿様装飾体
２    樹脂シート
２１  接着剤
２２  端部接着剤
３    螺鈿材料
３１  図案模様
３２  文字模様
４    下地材
５    表面
６    接着面
７    被接着体
７１  携帯電話
７２  ＣＤケース
７３  看板
【図１】
0003150473.tif 000003
【図２】
0003150473.tif 000004
【図３】
0003150473.tif 000005
【図４】
0003150473.tif 000006